(57)【要約】【課題】歩行者の顔がはっきりと視認することが可能な通路用照明器具を提供する。【解決手段】ポール本体２に支持された光出射部３から光を出射して通路８の歩行面８ａを照らす通路用照明器具１Ａにおいて、歩行面８ａから光出射部３の中心までの高さＬ２を、１．５〜２．０ｍの範囲内に設定した。これにより、通路８を歩く歩行者の顔が横方向から照らされるようになり、歩行者の顔に影ができ難くなるため、歩行者の顔がはっきりと視認できるようになる。【選択図】図１
2008171591.tif 000002
【特許請求の範囲】
【請求項１】
ポール本体に支持された光出射部から光を出射して通路の歩行面を照らす通路用照明器具であって、
前記歩行面から前記光出射部の中心までの高さは、１．５〜２．０ｍの範囲内に設定されていることを特徴とする通路用照明器具。
【請求項２】
前記光出射部は、光源を横方向から囲う遮光部の上方または下方に配置されており、この光出射部の内部には、前記光源から放射された光を少なくとも横方向に向けて光束量を減らした状態で反射する反射板が配設されていることを特徴とする請求項１に記載の通路用照明器具。
【請求項３】
前記遮光部の内部には、光源から放射された光を前記光出射部側に向けて反射する略半球状の凹部を有する反射部材が配設されていることを特徴とする請求項２に記載の通路用照明器具。
【請求項４】
前記ポール本体には、前記歩行面の近傍に発光部が設けられていることを特徴とする請求項１〜３のいずれか１項に記載の通路用照明器具。
【発明の詳細な説明】
【技術分野】
【０００１】
本発明は、通路用照明器具に関するものである。
【背景技術】
【０００２】
従来、通路用照明器具としては、ポール本体に支持された光出射部から光を出射して通路の歩行面を照らすものが知られている（例えば、特許文献１参照）。
【０００３】
このような通路用照明器具では、一般的に、歩行面から光出射部の中心までの高さが３〜６ｍと高くまたは１ｍ程度と低く設定されている。
【特許文献１】特開２０００−２２８１０５号公報
【発明の開示】
【発明が解決しようとする課題】
【０００４】
しかしながら、前記のように、光出射部の中心の高さが高くまたは低く設定されていると、通路を歩く歩行者の顔が上方または下方から照らされるようになるため、歩行者の顔にきつい影ができるようになる。このため、歩行者が不安に感じることがある。
【０００５】
本発明は、このような事情に鑑み、歩行者の顔がはっきりと視認することが可能な通路用照明器具を提供することを目的とする。
【課題を解決するための手段】
【０００６】
請求項１の発明は、ポール本体に支持された光出射部から光を出射して通路の歩行面を照らす通路用照明器具であって、前記歩行面から前記光出射部の中心までの高さは、１．５〜２．０ｍの範囲内に設定されていることを特徴とするものである。
【０００７】
請求項２の発明は、請求項１に記載の通路用照明器具において、前記光出射部は、光源を横方向から囲う遮光部の上方または下方に配置されており、この光出射部の内部には、前記光源から放射された光を少なくとも横方向に向けて光束量を減らした状態で反射する反射板が配設されていることを特徴とするものである。
【０００８】
請求項３の発明は、請求項２に記載の通路用照明器具において、前記遮光部の内部には、光源から放射された光を前記光出射部側に向けて反射する略半球状の凹部を有する反射部材が配設されていることを特徴とするものである。
【０００９】
請求項４の発明は、請求項１〜３のいずれか１項に記載の通路用照明器具において、前記ポール本体には、前記歩行面の近傍に発光部が設けられていることを特徴とするものである。
【発明の効果】
【００１０】
請求項１の発明によれば、通路の歩行面から光出射部の中心までの高さを１．５〜２．０ｍの範囲内に設定したから、通路を歩く歩行者の顔が横方向から照らされるようになり、歩行者の顔に影ができ難くなるため、歩行者の顔がはっきりと視認できるようになる。
【００１１】
請求項２の発明によれば、光源を横方向から遮光部で囲ったので、光源からの光が歩行者の目に直接入ることがない。しかも、光出射部を遮光部の上方または下方に配置し、この光出射部の内部に、光源から放射された光を少なくとも横方向に向けて光束量を減らした状態で反射板を配設したから、歩行者の目には反射板で反射されて光束量を減らした光が入るようになるため、歩行者に眩しさを感じさせなくすることができる。
【００１２】
請求項３の発明によれば、略半球状の凹部を有する反射部材によって、光源から放射された光を効率よく光出射部側に向けて反射することができる。
【００１３】
請求項４の発明によれば、発光部によってポール本体の根元を認識できるようになる。
【発明を実施するための最良の形態】
【００１４】
以下、本発明を実施するための最良の形態について、図面を参照しながら詳細に説明する。
【００１５】
図１および図２に、本発明の第１実施形態に係る通路用照明器具１Ａを示す。この通路用照明器具１Ａは、例えば通路８脇等に設置されるものであり、ポール本体２と、ポール本体２の上方に配置され、ポール本体２に支持された光出射部３と、光出射部３の上方に配置された頭部４とを備えている。そして、通路用照明器具１Ａは、光出射部３から光を出射して通路８の歩行面８ａを照らす。
【００１６】
ポール本体２は、上下方向に延びる円形筒状をなしており、その下部が地中８ｂに埋め込まれるようになっている。また、ポール本体２の地中８ｂに埋め込まれる部分には、ケーブル挿入用の穴２１が設けられていて、この穴２１からケーブル（図示せず）が内部に引き込まれて、後述する白熱ランプ５Ａに電力が供給されるようになっている。
【００１７】
ポール本体２の上端部には、上方開口が塞がれた有頂円形筒状のカバー体（グローブ）３１が取り付けられている。このカバー体３１は、乳白ガラスで構成されていて、光が拡散しながら透過可能となっている。また、カバー体３１の外径は、ポール本体２の外径と同程度に設定されていて、カバー体３１の外周面とポール本体２の外周面とが略面一になっている。さらに、カバー体３１の上端部には、下方に開口する円形容器状の蓋体４１が被せられていて、カバー体３１の上面の全面および外周面の上端部分が蓋体４１で覆われている。
【００１８】
そして、前記光出射部３は、カバー体３１のうち蓋体４１で覆われていない部分、換言すれば外周面が露出する部分で構成されており、前記頭部４は、蓋体４１およびカバー体３１の上端部で構成されている。
【００１９】
光出射部３の内部には、ポール本体２に支持されたソケット６と、このソケット６に装着された光源である白熱ランプ５Ａとが配設されている。なお、白熱ランプ５Ａは、光出射部３の内部の略中央に位置している。
【００２０】
光出射部３の高さＬ１、すなわち光出射部３の下端から上端までの高さＬ１は、例えば１６０ｍｍである。
【００２１】
また、歩行面８ａから光出射部３の中心（前記高さＬ１を上下方向に二等分する位置）までの高さＬ２は、１．５〜２．０ｍの範囲内に設定されている。
【００２２】
このように第１実施形態の通路用照明器具１Ａでは、歩行面８ａから光出射部３の中心までの高さＬ２を１．５〜２．０ｍの範囲内に設定したから、通路８を歩く歩行者の顔が横方向から照らされるようになり、歩行者の顔に影ができ難くなるため、歩行者の顔がはっきりと視認できるようになる。
【００２３】
また、歩行者の目線の位置が明るくなるので、歩行者が歩き易くなるとともに、誘導性に優れたものとなる。
【００２４】
さらに、光出射部３の中心の高さが人の背丈程度に抑えられているので、街路樹の枝葉によって光出射部３から歩行面に照射される光が遮られることが少なくなる。
【００２５】
ここで、前記効果を確かめるために行った検証実験について説明する。
【００２６】
まず、光源の高さによって歩行者の顔の見え方が異なるのかについて検証実験を行った。光源として白熱ランプを用い、図３（ａ）に示すように、白熱ランプを水平方向で１ｍ離した位置に配置し、その高さを変えながら白熱ランプからの光を被験者に照射した。被験者の視点は地上から１．５ｍであった。夜間の歩行者の歩行空間で安心できる歩行者の顔の見え方という評価ポイントで５点満点で評価した。評価は被験者以外の５名で行った。その結果を図３（ｂ）に示す。
【００２７】
結果としては、顔の下からのライトアップでは、顔の凹凸の陰影が上方向に延びて不気味な感じが強く、評価が低かった。顔と同じ高さもしくはそれ以上の位置からの光照射では、陰影が昼間と大差なく安心できるとの評価であった。
【００２８】
次に、図４（ａ）に示すように、白熱ランプを被験者から１０ｃｍ程度離して白熱ランプからの光りを被験者に照射する実験を行った。その結果を図４（ｂ）に示す。なお、被験者の視点である１．５ｍの高さでは、光源が近すぎて評価できないので、白熱ランプを被験者から１ｍ離して実験を行った。距離が離れても顔に対する光源方向の角度は変わらないため、このようにしても問題ない。
【００２９】
結果としては、光源が被験者の近傍にある場合では、顔の少し上（高さが２ｍ程度）の位置でないと顔の陰影がきつすぎて評価が低くなることが分かった。これは、光源位置が高いほど顕著に起こりえる現象である。
【００３０】
以上の２つの実験より、通路用照明器具１Ａの光出射部３の高さが１．５〜２．０ｍ程度になっていれば、顔の陰影が最も自然で安心感が高いといえる。
【００３１】
次に、図５および図６に、本発明の第２実施形態に係る通路用照明器具１Ｂを示す。この通路用照明器具１Ｂでは、第１実施形態と同様に、歩行面８ａから光出射部３の中心までの高さＬ２は１．５〜２．０ｍの範囲内に設定されているが（この高さＬ２の設定は、後述する第３および第４実施形態でも同様）、頭部４の大きさが上下方向に大きくなっているとともに、この頭部４の内部に、光源としてコンパクト形の蛍光ランプ５Ｂが配設されている。すなわち、頭部４が、蛍光ランプ５Ｂを横方向から囲う遮光部となっている。そして、ポール本体２の内部には、インバータ点灯方式の点灯装置７が配設されている。
【００３２】
また、頭部（遮光部）４の内部には、蛍光ランプ５Ｂに向かって下方に開口する略半球状の凹部を有する反射部材４２が配設されている。なお、蛍光ランプ５Ｂの上端部は、反射部材４２で囲まれる空間内に僅かに入り込んでいる。このため、蛍光ランプ５Ｂから上方に放射された光は、反射部材４２によって光出射部３側である下方に向けて反射されるようになる。
【００３３】
さらに、光出射部３の内部には、上端部が頭部４の内部に入り込むようにソケット６が配設されているとともに、このソケット６の下方に、ソケット６の下端部とポール本体２の上端部とを直線状に連結するように拡径しながら下方に延びる裁頭円錐状（コーン状）の反射板３３が配設されている。
【００３４】
反射板３３は、表面に入射した光を拡散しながら反射するように表面処理されたものである。このため、反射板３３に、蛍光ランプ５Ｂから下方に放射された光および蛍光ランプ５Ｂから上方に放射された後に反射部材４２で下方に向けて反射された光が入射すると、反射板３３自体が適度に減衰された輝度を持つようになる。換言すれば、蛍光ランプ５Ｂから放射された光は、反射板３３によって拡散されながら少なくとも横方向に向けて光束量を減らした状態で反射されるようになる（図中の矢印ｂ参照）。なお、反射板３３としては、蛍光ランプ５Ｂから放射された光を少なくとも横方向に向けて光束量を減らした状態で反射するものであればよく、例えばもう少し角度を緩くしてある程度光のエネルギーを吸収するように表面処理したもので構成してもよい。
【００３５】
また、第３実施形態では、カバー体３１が透明な円形筒状のアクリルパイプで構成されている。
【００３６】
このように構成された通路用照明器具１Ｂでは、蛍光ランプ５Ｂから下方に放射された光および蛍光ランプ５Ｂから上方に放射された後に反射部材４２で下方に向けて反射された光のうち図中に矢印ａで示すようにカバー体３１に入射する光は、カバー体３１をそのまま透過して歩行面８ａに直接照射されるようになる。このため、歩行面８ａを十分な照度で照らすことができる。
【００３７】
また、第２実施形態では、蛍光ランプ５Ｂを頭部４の内部に配設することによって当該蛍光ランプ５Ｂを横方向から頭部４で囲ったので、蛍光ランプ５Ｂからの光が歩行者の目に直接入ることがない。しかも、頭部４の下方に配置される光出射部３の内部に、蛍光ランプ５Ｂから放射された光を拡散しながら少なくとも横方向に向けて光束量を減らした状態で反射する反射板３３を配設したから、歩行者の目には反射板３３で反射されて光束量を減らした拡散光が入るようになるため、歩行者に眩しさを感じさせなくすることができる。
【００３８】
そして、このような弱い光であれば、輝度を目印とする弱視者が真正面を向いたまま歩行することが可能であるため、弱視者が歩行する際の目印としても好ましいものとなる。
【００３９】
さらに、第２実施形態では、略半球状の凹部を有する反射部材４２によって、蛍光ランプ５Ｂから上方に放射された光を効率よく下方に向けて反射することができる。
【００４０】
なお、光出射部３の中心の高さについての効果は、第１実施形態と同じである。これは、後述する第３および第４実施形態でも同様である。
【００４１】
次に、図７に、本発明の第３実施形態に係る通路用照明器具１Ｃを示す。この通路用照明器具１Ｃでは、第２実施形態と反対に、光出射部３の下方に位置するポール本体２の上端部の内部に蛍光ランプ５Ｂが配設されている。すなわち、ポール本体２の上端部が、蛍光ランプ５Ｂを横方向から囲う遮光部となっている。
【００４２】
また、第３実施形態では、光出射部３の内部に配設される反射板３３が、蛍光ランプ５Ｂから上方に放射された光を主に下方から横方向に向けて拡散しながら反射するように、拡開しながら上方に延びる円錐状になっている。
【００４３】
このようにすれば、第２実施形態と同様に歩行者に眩しさを感じさせなくすることができるだけでなく、第２実施形態に比べ、頭部４の大きさを小さくすることができるため、デザイン的に優れているとともに照明器具全体の高さを抑えることが可能になる。
【００４４】
なお、第３実施形態においても、第２実施形態で示した反射部材４２を蛍光ランプ５Ｂの下方に反対向きで設けて、この反射部材４２によって蛍光ランプ５Ｂから下方に放射された光を光出射部３側である上方に向けて反射するようにしてもよい。
【００４５】
次に、図８に、本発明の第４実施形態に係る通路用照明器具１Ｄを示す。この通路用照明器具１Ｄは、第２実施形態の通路用照明器具１Ｂにおけるポール本体２の歩行面８ａの近傍に発光部２２を設けたものである。この発光部２２は、発光ダイオード（ＬＥＤ）を乳白拡散パネルで覆ったものであり、発光状態を広い角度から視認できるようになっている。
【００４６】
第１〜第３実施形態では、ポール本体２の根元付近が暗くなってしまう。これに対し、第４実施形態のようにポール本体２の発光面８ａの近傍に発光部２２を設ければ、発光部２２によってポール本体２の根元を認識できるようになる。例えば、図９に示すように、通路用照明器具１Ｄを歩道と車道の境界部分に設けた場合には、歩行者はポール２の根元を認識することによって歩道がどこまであるか、すなわち歩道の幅を把握できるようになる。
【００４７】
なお、発光部２２は、第１実施形態および第３実施形態で示した通路用照明器具１Ａ，１Ｃにおけるポール本体２に設けることも可能である。
【図面の簡単な説明】
【００４８】
【図１】本発明の第１実施形態に係る通路用照明器具の正面図である。
【図２】第１実施形態の通路用照明器具の上部を示す一部断面正面図である。
【図３】（ａ）は検証実験のモデル図、（ｂ）は検証結果を示す図である。
【図４】（ａ）は検証実験のモデル図、（ｂ）は検証結果を示す図である。
【図５】本発明の第２実施形態に係る通路用照明器具の正面図である。
【図６】第２実施形態の通路用照明器具の上部を示す一部断面正面図である。
【図７】本発明の第３実施形態に係る通路用照明器具の正面図である。
【図８】本発明の第４実施形態に係る通路用照明器具の正面図である。
【図９】第４実施形態の通路用照明器具を歩道と車道の境界部分に設けた配置図である。
【符号の説明】
【００４９】
１Ａ〜１Ｄ  通路用照明器具
２    ポール本体
２２  発光部
３    光出射部
３１  カバー体
３３  反射板
４    頭部（遮光部）
４２  反射部材
５Ａ  白熱ランプ（光源）
５Ｂ  蛍光ランプ（光源）
８    通路
８ａ  歩行面
【図１】
2008171591.tif 000003
【図２】
2008171591.tif 000004
【図３】
2008171591.tif 000005
【図４】
2008171591.tif 000006
【図５】
2008171591.tif 000007
【図６】
2008171591.tif 000008
【図７】
2008171591.tif 000009
【図８】
2008171591.tif 000010
【図９】
2008171591.tif 000011